(57)【特許請求の範囲】
【請求項１】
表示面を有する表示装置本体と、前記表示面を覆い、前記表示面を覆う覆い位置と、前記表示装置本体の起立状態を維持する非覆い位置とに亘って前記表示装置本体に可動に保持されたカバーとを備える表示装置において、前記カバーは、前記表示装置本体を収納して前記表示面を覆う収納空間を有し、前記表示面を覆う覆い位置から非覆い位置の途中にかけて摺動可能であり、該非覆い位置の途中で非覆い位置に向けて回動可能としてあることを特徴とする表示装置。
【請求項２】
前記表示装置本体は両側辺に案内溝を有する矩形をなしており、前記カバーは、前記案内溝に係合する係合部を有し、前記案内溝に沿って摺動することが可能な一対の摺動体を備える請求項１記載の表示装置。
【請求項３】
前記カバーは、前記表示面を覆う矩形の覆い部と、該覆い部の三辺に連結部を介して連なり、前記表示装置本体の表示面と反対側の面と向き合う支持板とを有する箱形をなしており、前記一対の摺動体は、前記カバーの開口縁近傍の前記連結部に設けられており、前記カバーの開口縁には、前記カバーが回動する際に前記表示装置本体との当接を回避するための切欠部を有する請求項２記載の表示装置。
【発明の詳細な説明】
【０００１】
【発明の属する技術分野】
本発明はパーソナルコンピュータ等のフラット型の表示装置に関する。
【０００２】
【従来の技術】
デスクトップ型パーソナルコンピュータの表示装置は永年に亘って陰極線管（ＣＲＴ）を備えていた。この陰極線管を備える表示装置は高画質が得られ、視野角特性に優れているとともに、比較的安価であるのに対し、前後の厚さ寸法が非常に大きく、表示装置全体が大形で、広い設置スペースが必要であり、しかも、重量が過大であった。
【０００３】
近年では陰極線管の代替として液晶パネルを用いたフラット型の表示装置が主流になっている。
このフラット型の表示装置は、表示面を有する矩形でフラット型の表示装置本体と、該表示装置本体の下部に固定され、表示装置本体を起立状態で支持するブロック形のスタンドとを備えている。
ところで、フラット型の表示装置は陰極線管を備える表示装置の代替として発展してきたため、未だに机の上にセッティングして使用されている。
【０００４】
【発明が解決しようとする課題】
このようにフラット型の表示装置であっても机の上にセッティングして使用されており、携帯されていない。表示装置を携帯する場合においても、表示装置本体の下部に固定されたブロック形のスタンドが表示装置本体の厚さ方向へ突出しており、換言すればブロック形のスタンドが表示面及び表示面と反対側の面に対して外方へ突出しており、表示装置全体の厚さ寸法が大であり、比較的重量もあるため、鞄等に収容して携帯するには不向きであった。
また、フラット型の表示装置の表示面は剥き出しになっているため、携帯する場合においても外力によって表示面及び該表示面を保持する保持台が破損する恐れがあり、鞄等に収容して出張に携帯することはできなかった。
【０００５】
このように表示装置を出張に携帯することができないため、従来ではプレゼンテーション用に小型のプロジェクタを出張に携帯し、表示装置の代替を行う場合もあるが、この際にはプレゼンテーション用の部屋の確保が必要であり、また、商談コーナ等でパーソナルコンピュータを用いた気軽なプレゼンテーション等を行うことができなかった。
【０００６】
本発明は斯かる事情に鑑みてなされたものであり、表示面を覆い、表示面を覆う覆い位置と、表示装置本体の起立状態を維持する非覆い位置とに亘って表示装置本体に可動に保持されたカバーを備える構成とすることにより、机上で使用する際にはカバーを非覆い位置へ動かせることにより、表示装置本体の起立状態を維持することができ、また、未使用時には表示装置の全体をコンパクトにでき、鞄等に収容して携帯することができる表示装置を提供することを目的とする。
【０００７】
【課題を解決するための手段】
本発明に係る表示装置は、表示面を有する表示装置本体と、前記表示面を覆い、前記表示面を覆う覆い位置と、前記表示装置本体の起立状態を維持する非覆い位置とに亘って前記表示装置本体に可動に保持されたカバーとを備える表示装置において、前記カバーは、前記表示装置本体を収納して前記表示面を覆う収納空間を有し、前記表示面を覆う覆い位置から非覆い位置の途中にかけて摺動可能であり、該非覆い位置の途中で非覆い位置に向けて回動可能としてあることを特徴とする。
【０００８】
本発明にあっては、カバーを非覆い位置へ動かせることにより、表示装置本体の起立状態を維持することができる。
また、未使用時にはカバーを覆い位置へ動かせることにより、カバーの表示装置本体に対する外方への突出量を少なくすることができ、表示装置の全体をコンパクトにできる。従って、未使用時に机上に放置することなく書棚等に格納することができるとともに、鞄等に収容して携帯することができ、また、表示面に埃等が付着することを防ぐことができる。カバーを摺動及び回動操作することにより、カバーを覆い位置及び非覆い位置へ動かせることができるため、容易に、しかも、効率的にカバーを動かせることができる。また、カバーは表示装置本体の表示面及び表示面と反対側を覆うように箱形に形成されるため、カバーの厚さを比較的薄くした場合においてもカバーの強度を高めることができ、外圧に対して表示面を保護することができる。
【０００９】
第２発明に係る表示装置は、前記表示装置本体は両側辺に案内溝を有する矩形をなしており、前記カバーは、前記案内溝に係合する係合部を有し、前記案内溝に沿って摺動することが可能な一対の摺動体を備えることを特徴とする。
【００１０】
第３発明に係る表示装置は、前記カバーは、前記表示面を覆う矩形の覆い部と、該覆い部の三辺に連結部を介して連なり、前記表示装置本体の表示面と反対側の面と向き合う支持板とを有する箱形をなしており、前記一対の摺動体は、前記カバーの開口縁近傍の前記連結部に設けられており、前記カバーの開口縁には、前記カバーが回動する際に前記表示装置本体との当接を回避するための切欠部を有することを特徴とする。
【００１１】
【発明の実施の形態】
以下本発明をその実施の形態を示す図面に基づいて詳述する。
図１乃至図５は本発明に係る表示装置の構成を示すもので、図１は使用時の斜視図、図２は未使用時の斜視図、図３はカバーを半開した斜視図、図４はカバーを全開した正面側斜視図、図５はカバーを全開した背面側斜視図である。
【００１２】
この表示装置は、表側となる一面に表示面１１を有し、この表示面１１の内方に液晶パネルが内装された矩形でフラット形の表示装置本体１と、この表示装置本体１に摺動可能に保持され、表示装置本体１に対応する大きさの箱形のカバー２とを備えている。
【００１３】
表示装置本体１は例えば１２インチの表示面１１に対して厚さが約５mmとしてある。この表示装置本体１の起立時に左右となる２つの側辺には各側辺の長手方向一端縁近くから他端縁近くに亘って案内溝１２が凹設されている。
【００１４】
カバー２は、表示装置本体１の表示面１１を覆う矩形の覆い部２１ａと、該覆い部２１ａの三辺に第１乃至第３の連結部２１ｂ，２１ｃ，２１ｄを介して連なり、表示装置本体１の表示面１１と反対側の面と向き合う支持板２１ｅとを有する箱形であり、内部に前記表示装置本体１を収納する収納空間が設けられている。また、カバー２はチタニウム、マグネシューム合金、アルミニウム等の金属材料、又は、合成樹脂材料により成形されている。また、覆い部２１ａには複数の補強用の凸条２１ｆが突設されている。
【００１５】
前記表示装置本体１の前記側辺と向き合う第１及び第２の連結部２１ｂ，２１ｃで、カバー２の開口縁近傍には前記案内溝１２に係合する係合部を有し、案内溝１２に沿って摺動することが可能な一対の摺動体２２が相対回動を可能に保持されている。また、表示装置本体１の起立時における上辺と向き合う第３の連結部２１ｄは、カバー２が後記するように表示装置本体１に対して表示面１１と反対側の非覆い位置へ回動したとき、机等の静止物Ａに当接して前記表示装置本体１の起立状態を維持することができるようにしてある。また、支持板２１ｅでカバー２の開口縁には、カバー２が回動する際に表示装置本体１との当接を回避するための切欠部２１ｇがほぼ全長に亘って設けられている。
【００１６】
摺動体２２は覆い部２１ａが前記表示面１１を覆う覆い位置から非覆い位置の途中にかけて摺動し、この非覆い位置の途中で摺動体２２に対しカバー２を非覆い位置に向けて、換言すれば表示面１１と反対側へ一回転に近い角度に亘って回動させることができるようにしてある。
【００１７】
以上のように構成された実施の形態１の表示装置は、未使用である場合、表示装置本体１がカバー２の収納空間に収納されており、カバー２は前記表示面１１を覆う覆い位置にある（図２参照）。この際、カバー２は表示装置本体１の表示面１１及び表示面１１と反対側を覆う箱形であるため、カバー２の厚さを比較的薄くした場合においてもカバー２の強度を高めることができ、外圧に対して表示装置本体１を保護することができる。また、表示面１１と覆い部２１ａとの間、及び表示面１１と反対側の面と支持板２１ｅとの間にはカバー２を摺動させるための若干の隙間があるため、収納空間内の表示装置本体１が覆い部２１ａに接触して傷が付くことを防ぐことができ、また、覆い部２１ａに加わる外圧を前記隙間によって吸収することができ、表示面１１の破損をなくすることができる。
【００１８】
机等の静止物Ａ上で使用する場合、覆い位置のカバー２を表示装置本体１に対して案内溝１２に沿って非覆い位置の途中へ摺動させ（図３、図４参照）、この非覆い位置の途中で摺動体２２に対しカバー２を表示面１１と反対側へ一回転に近い角度に亘って回動させ（図１参照）、カバー２を非覆い位置に位置させることにより、表示装置本体１の起立状態を維持することができる。この際、表示装置本体１とカバー２とが略逆Ｖ字形になるため（図１参照）、省スペースで使用することができる。また、カバー２の非覆い位置を調整することにより、表示装置本体１の傾斜角度、ひいては表示面１１の角度を自由に調整することができる。
【００１９】
【発明の効果】
以上詳述したように本発明によれば、カバーを非覆い位置へ動かせることにより、表示装置本体の起立状態を維持することができ、しかも、未使用時にはカバーの表示装置本体に対する外方への突出量を少なくすることができ、表示装置の全体をコンパクトにできるため、未使用時に机上に放置することなく書棚等に格納することができるとともに、鞄等に収容して携帯することができる。また、カバーを摺動及び回動操作することにより、カバーを覆い位置及び非覆い位置へ動かせることができるため、容易に、しかも、効率的にカバーを動かせることができる。また、カバーは箱形に形成されるため、カバーの厚さを比較的薄くした場合においてもカバーの強度を高めることができ、外圧に対して表示面を保護することができる。
【図面の簡単な説明】
【図１】  本発明に係る表示装置の構成を示す使用時の斜視図である。
【図２】  本発明に係る表示装置の構成を示す未使用時の斜視図である。
【図３】  本発明に係る表示装置の構成を示すカバーを半開した斜視図である。
【図４】  本発明に係る表示装置の構成を示すカバーを全開した正面側斜視図である。
【図５】  本発明に係る表示装置の構成を示すカバーを全開した背面側斜視図である。
【符号の説明】
１    表示装置本体
１１  表示面
１２  案内溝
２    カバー
２１ａ  覆い部
２１ｂ，２１ｃ，２１ｄ  連結部
２１ｅ  支持板
２１ｇ  切欠部
２２  摺動体
【図１】
0003671032.tif 000002
【図２】
0003671032.tif 000003
【図３】
0003671032.tif 000004
【図４】
0003671032.tif 000005
【図５】
0003671032.tif 000006